(57)【特許請求の範囲】
【請求項１】
位置情報又は時間情報でなるシリアルデータに応じてグルーブが蛇行してなる光ディスクを製造する光ディスクの製造方法において、
位相変調により、前記シリアルデータを位相変調した位相変調信号を生成し、
周波数変調により、前記位相変調信号を周波数変調した周波数変調信号を生成し、
前記周波数変調信号に応じて前記グルーブを蛇行させ、
前記位相変調において、
前記シリアルデータの各ビットに対して、
ビットの開始に対応するタイミングからビットの中心に対応するタイミングまでの第１の期間で、
論理レベルが立ち上がっている時間と、論理レベルが立ち下がっている時間とが等しくなるように、前記位相変調信号を生成し、
前記シリアルデータの各ビットに対して、
ビットの中心に対応するタイミングからビットの終了に対応するタイミングまでの第２の期間で、
論理レベルが立ち上がっている時間と、論理レベルが立ち下がっている時間とが等しくなるように、前記位相変調信号を生成し、
前記周波数変調において、
前記シリアルデータの各ビットで、
前記第１及び第２の期間に対応する前記周波数変調信号の波数が等しくなるように、
前記周波数変調によるキャリア信号の０．５波の整数倍の波数を単位にして、前記位相変調信号の各論理レベルに所定周波数の正弦波信号を割り当てて、前記周波数変調信号を生成する
ことを特徴とする光ディスクの製造方法。
【請求項２】
前記第１及び第２の期間における前記位相変調信号の論理レベルが立ち上がっている時間と、前記第１及び第２の期間における前記位相変調信号の論理レベルが立ち下がっている時間とにそれぞれ対応する前記キャリア信号の波数が０．５波である
ことを特徴とする請求項１に記載の光ディスクの製造方法。
【請求項３】
前記位相変調において、
前記第１の期間の前半の期間で、
論理レベルが立ち上がっている期間と、論理レベルが立ち下がっている期間とが形成されるように、前記位相変調信号を生成し、
前記第１の期間の後半の期間で、
論理レベルが立ち上がっている期間と、論理レベルが立ち下がっている期間とが形成されるように、前記位相変調信号を生成し、
前記第２の期間の前半の期間で、
論理レベルが立ち上がっている期間と、論理レベルが立ち下がっている期間とが形成されるように、前記位相変調信号を生成し、
前記第２の期間の後半の期間で、
論理レベルが立ち上がっている期間と、論理レベルが立ち下がっている期間とが形成されるように、前記位相変調信号を生成し、
前記周波数変調において、
前記第１及び第２の期間の前半、後半の期間における論理レベルが立ち上がっている各期間及び論理レベルが立ち下がっている各期間に対して、前記キャリア信号の０．５波の整数倍の波数を単位にして前記正弦波信号を割り当てて、前記周波数変調信号を生成する
ことを特徴とする請求項１に記載の光ディスクの製造方法。
【請求項４】
前記第１の期間の前半の期間及び前記第１の期間の後半の期間における前記周波数変調信号の波数がそれぞれ１波であり、
前記第２の期間の前半の期間及び前記第２の期間の後半の期間における前記周波数変調信号の波数がそれぞれ１波である
ことを特徴とする請求項３に記載の光ディスクの製造方法。
【請求項５】
位置情報又は時間情報でなるシリアルデータに応じてグルーブが蛇行してなる光ディスクを製造する光ディスクの製造方法において、
位相変調により、前記シリアルデータを位相変調した位相変調信号を生成し、
周波数変調により、前記位相変調信号を周波数変調した周波数変調信号を生成し、
前記周波数変調信号に応じて前記グルーブを蛇行させ、
前記位相変調において、
前記シリアルデータの各ビットに対して、
ビットの開始に対応するタイミングからビットの中心に対応するタイミングまでの期間と、ビットの中心に対応するタイミングからビットの終了に対応するタイミングまでの期間とにそれぞれ偶数のチャンネルを形成し、
前記各ビットに割り当てられた前記複数チャンネルを区切った各４チャンネル単位で、論理１のチャンネルと論理０のチャンネルとによる第１のパターンと、前記第１のパターンに対して論理レベルを反転してなる第２のパターンとが配置されるように、各チャンネルの論理レベルを設定して前記位相変調信号を生成し、
前記周波数変調において、
キャリア信号より等しい周波数だけ高い周波数側及び低い周波数側に変位した正弦波信号を前記キャリア信号の０．５波の整数倍の波数を単位にして前記位相変調信号の各論理レベルに割り当てて、前記周波数変調信号を生成する
ことを特徴とする光ディスクの製造方法。
【請求項６】
位置情報又は時間情報でなるシリアルデータに応じてグルーブが蛇行してなる光ディスクにおいて、
位相変調により、前記シリアルデータを位相変調した位相変調信号が生成され、
周波数変調により、前記位相変調信号を周波数変調した周波数変調信号が生成され、
前記周波数変調信号に応じて前記グルーブが蛇行して形成され、
前記位相変調において、
前記シリアルデータの各ビットに対して、
ビットの開始に対応するタイミングからビットの中心に対応するタイミングまでの第１の期間で、
論理レベルが立ち上がっている時間と、論理レベルが立ち下がっている時間とが等しくなるように、前記位相変調信号が生成され、
前記シリアルデータの各ビットに対して、
ビットの中心に対応するタイミングからビットの終了に対応するタイミングまでの第２の期間で、
論理レベルが立ち上がっている時間と、論理レベルが立ち下がっている時間とが等しくなるように、前記位相変調信号が生成され、
前記周波数変調において、
前記シリアルデータの各ビットで、
前記第１及び第２の期間に対応する前記周波数変調信号の波数が等しくなるように、
前記周波数変調によるキャリア信号の０．５波の整数倍の波数を単位にして、前記位相変調信号の各論理レベルに所定周波数の正弦波信号を割り当てて、前記周波数変調信号が生成された
ことを特徴とする光ディスク。
【請求項７】
前記第１及び第２の期間における前記位相変調信号の論理レベルが立ち上がっている時間と、前記第１及び第２の期間における前記位相変調信号の論理レベルが立ち下がっている時間とにそれぞれ対応する前記キャリア信号の波数が０．５波である
ことを特徴とする請求項６に記載の光ディスク。
【請求項８】
前記位相変調において、
前記第１の期間の前半の期間で、
論理レベルが立ち上がっている期間と、論理レベルが立ち下がっている期間とが形成されるように、前記位相変調信号が生成され、
前記第１の期間の後半の期間で、
論理レベルが立ち上がっている期間と、論理レベルが立ち下がっている期間とが形成されるように、前記位相変調信号が生成され、
前記第２の期間の前半の期間で、
論理レベルが立ち上がっている期間と、論理レベルが立ち下がっている期間とが形成されるように、前記位相変調信号が生成され、
前記第２の期間の後半の期間で、
論理レベルが立ち上がっている期間と、論理レベルが立ち下がっている期間とが形成されるように、前記位相変調信号が生成され、
前記第１及び第２の期間の前半、後半の期間における論理レベルが立ち上がっている各期間及び論理レベルが立ち下がっている各期間に対して、前記キャリア信号の０．５波の整数倍の波数を単位にして前記正弦波信号を割り当てて、前記周波数変調信号が生成された
ことを特徴とする請求項６に記載の光ディスク。
【請求項９】
前記第１の期間の前半の期間及び前記第１の期間の後半の期間における前記周波数変調信号の波数がそれぞれ１波であり、
前記第２の期間の前半の期間及び前記第２の期間の後半の期間における前記周波数変調信号の波数がそれぞれ１波である
ことを特徴とする請求項８に記載の光ディスク。
【請求項１０】
位置情報又は時間情報でなるシリアルデータに応じてグルーブが蛇行してなる光ディスクにおいて、
位相変調により、前記シリアルデータを位相変調した位相変調信号が生成され、
周波数変調により、前記位相変調信号を周波数変調した周波数変調信号が生成され、
前記周波数変調信号に応じて前記グルーブが蛇行され、
前記位相変調において、
前記シリアルデータの各ビットに対して、
ビットの開始に対応するタイミングからビットの中心に対応するタイミングまでの期間と、ビットの中心に対応するタイミングからビットの終了に対応するタイミングまでの期間とにそれぞれ偶数のチャンネルが形成され、
前記各ビットに割り当てられた前記複数チャンネルを区切った各４チャンネル単位で、論理１のチャンネルと論理０のチャンネルとによる第１のパターンと、前記第１のパターンに対して論理レベルを反転してなる第２のパターンとが配置されるように、各チャンネルの論理レベルを設定して前記位相変調信号が生成され、
前記周波数変調において、
キャリア信号より等しい周波数だけ高い周波数側及び低い周波数側に変位した正弦波信号を前記キャリア信号の０．５波の整数倍の波数を単位にして前記位相変調による被変調信号の各論理レベルに割り当てて、前記周波数変調信号が生成された
ことを特徴とする光ディスク。
【請求項１１】
所定のシリアルデータがグルーブの蛇行により記録されてなる上記請求項６、請求項７、請求項８、又は請求項９に記載の光ディスクをアクセスする光ディスク装置において、
前記グルーブの蛇行に応じて信号レベルが変化するウォウブル信号を検出するウォウブル信号検出手段と、
前記ウォウブル信号に同期したクロックを生成するクロック生成手段と、
前記クロックに対する前記ウォウブル信号の位相を検出して、前記シリアルデータを復号する復号手段とを備え、
前記復号手段は、
前記クロックを基準にして前記ウォウブル信号の極性を判定することにより、前記ウォウブル信号の位相を検出する
ことを特徴とする光ディスク装置。
【請求項１２】
所定のシリアルデータがグルーブの蛇行により記録されてなる上記請求項６、請求項７、請求項８、又は請求項９に記載の光ディスクをアクセスする光ディスク装置において、
前記グルーブの蛇行に応じて信号レベルが変化するウォウブル信号を検出するウォウブル信号検出手段と、
前記ウォウブル信号に同期したクロックを生成するクロック生成手段と、
前記クロックに対する前記ウォウブル信号の位相を検出して、前記シリアルデータを復号する復号手段とを備え、
前記復号手段は、
前記クロックを基準にした所定期間毎に、前記ウォウブル信号が０クロスするタイミングの変化を検出して、前記位相を検出する
ことを特徴とする光ディスク装置。
【発明の詳細な説明】
【０００１】
【発明の属する技術分野】
本発明は、光ディスクの製造方法、光ディスク及び光ディスク装置に関し、例えばレーザービームのガイド溝でなるグルーブの蛇行により、位置情報等のシリアルデータを記録した光ディスクと、この光ディスクをアクセスする光ディスク装置等に適用することができる。本発明は、シリアルデータを位相変調した後、周波数変調してグルーブを蛇行させる際に、少なくともシリアルデータの各ビットの前半部分及び後半部分にそれぞれ対応する位相変調による被変調信号において、論理１の時間と論理０の時間とが等しくなるように位相変調すること等により、精度の高いクロックを生成できるようにする。
【０００２】
【従来の技術】
従来、光ディスクにおいては、レーザービームのガイド溝を担うグルーブの蛇行により、レーザービーム照射位置の位置情報、時間情報等（以下ウォウブルデータと呼ぶ）を検出するようになされている。
【０００３】
すなわちこの種の光ディスクの製造工程では、ディスク原盤を所定の回転速度により回転しながら、このディスク原盤にレーザービームを照射し、このレーザービームの照射位置を順次ディスク原盤の外周側に変位させる。これによりこの製造工程では、順次ディスク原盤をレーザービームにより露光し、ディスク原盤の内周側より外周側に向かってらせん状にトラックを形成する。
【０００４】
光ディスクの製造工程では、現像、電鋳処理等の工程を経て、このディスク原盤よりスタンパを作成し、このスタンパより光ディスクを作成する。これにより光ディスクは、ディスク原盤におけるレーザービームの照射に対応して、内周側より外周側に向かって、らせん状にグルーブが形成される。
【０００５】
このようにしてディスク原盤を露光する際に、光ディスクの製造工程では、図１３に示すように、所定のキャリア信号に同期した基準信号を分周してクロックＣＫ（図１３（Ｂ））を生成する。さらにこのクロックＣＫに同期した第１の基準信号と、クロックＣＫの１／２分周信号でなる第２の基準信号とを、それぞれウォウブルデータＡＤＩＰ（図１３（Ａ））の論理レベルに応じて配列し、これによりウォウブルデータＡＤＩＰをバイフェーズマーク変調する（図１３（Ａ）、（Ｂ）及び（Ｃ））。さらにこのようにしてバイフェーズマーク変調して生成されるシリアルデータ列に同期パターンを介挿してチャンネル信号ｃｈを生成した後、クロックＣＫの生成に使用したキャリア信号をこのチャンネル信号ｃｈにより周波数変調して被変調信号（以下ウォウブル信号と呼ぶ）ＷＢを生成する。光ディスクの製造工程は、このウォウブル信号ＷＢの信号レベルに追従するように、レーザービームの照射位置をディスク原盤の半径方向に変位させる。
【０００６】
これにより図１４に示すように、この種の光ディスクは、同期パターン、ウォウブルデータに応じてグルーブが蛇行するように形成され、この蛇行の中心周波数が所定周波数になるようにスピンドルモータが制御されて所定の回転速度により回転駆動されるようになされている。またこの蛇行を基準にしてウォウブルデータを検出して記録再生位置を確認できるようになされ、またこの蛇行を基準にして各種処理基準のクロックを生成できるようになされている（図１４（Ａ）〜（Ｃ））。
【０００７】
【発明が解決しようとする課題】
ところで従来の光ディスクにおいては、ウォウブルデータを記録した領域からは精度の高いクロックを生成することが困難な欠点がある。
【０００８】
すなわちクロックＣＫの１／２周期をｃｈとおき、キャリア信号の周波数をｎ〔Ｈｚ／ｃｈ〕とすると、チャンネル信号ｃｈの論理１に対してはｎ＋ｄ〔Ｈｚ／ｃｈ〕が、チャンネル信号ｃｈの論理０に対してはｎ−ｄ〔Ｈｚ／ｃｈ〕が割り当てられてウォウブル信号ＷＢが生成されることになる。
【０００９】
ここで説明を簡略化するために、ｎ＝４、ｄ＝１／１６とすると、同期パターンの開始の時点ｔ０においてウォウブル信号ＷＢが０クロスすると（図１３）、同期パターンにおいてはＤＳＶ（Digital Sum Value ）が値０に設定されることにより、同期パターンの終了時点ｔ１においても、ウォウブル信号ＷＢを０クロスさせることができる。
【００１０】
ところが続くクロックＣＫの立ち下がりの時点ｔ２においては、クロックＣＫの１周期分だけ、周波数ｎ＋ｄ〔Ｈｚ／ｃｈ〕に保持されることにより、ウォウブル信号ＷＢの０クロスのタイミングが２π／１６周期分だけ変化することになる。
【００１１】
また続くクロックＣＫの立ち下がりの時点ｔ３と、さらに続く時点ｔ４及びｔ５においては、それぞれクロックＣＫの１／２周期だけ周波数ｎ＋ｄ〔Ｈｚ／ｃｈ〕に保持された後、続く１／２周期の間、周波数ｎ−ｄ〔Ｈｚ／ｃｈ〕に保持されることにより、それぞれウォウブル信号ＷＢの０クロスのタイミングが２π／１６周期分だけ変化したままに保持される。
【００１２】
これに対して続くクロックＣＫの立ち下がりの時点ｔ６においては、クロックＣＫの１周期分だけ、周波数ｎ−ｄ〔Ｈｚ／ｃｈ〕に保持されることにより、時点ｔ１〜ｔ２間の位相変化分がキャンセルされて、ウォウブル信号ＷＢが０クロスすることになる。
【００１３】
これらのことからグルーブを蛇行させるウォウブル信号ＷＢにおいては、クロックＣＫに対して０クロスのタイミングが変化し、単にグルーブの蛇行を検出してウォウブル信号ＷＢを再生しても、この再生したウォウブル信号ＷＢより精度の高いクロックを生成することが困難になる。
【００１４】
因みに、ウォウブル信号ＷＢが正しく０クロスするタイミングを検出し、このタイミングによりＰＬＬ回路をロックさせて精度の高いクロックを生成する方法も考えられるが、ウォウブル信号ＷＢが正しく０クロスするタイミングにおいては、ウォウブルデータの内容に応じて変化することにより、実際上、実現困難である。
【００１５】
本発明は以上の点を考慮してなされたもので、グルーブの蛇行より精度の高いクロックを生成することができる光ディスクの製造方法、光ディスク及び光ディスク装置を提案しようとするものである。
【００１６】
【課題を解決するための手段】
かかる課題を解決するため本発明においては、光ディスク又は光ディスクの製造方法に適用して、シリアルデータを位相変調した後、周波数変調してグルーブを蛇行させる場合に適用する。この位相変調において、シリアルデータの各ビットに対して、ビットの開始からビットの中心に対応する第１の期間で、論理レベルが立ち上がっている時間と、論理レベルが立ち下がっている時間とが等しくなるように、またビットの中心からビットの終了に対応するタイミングまでの第２の期間で、論理レベルが立ち上がっている時間と、論理レベルが立ち下がっている時間とが等しくなるように、位相変調信号を生成する。さらに周波数変調において、第１の期間と、第２の期間とで波数が等しくなるように、周波数変調信号を生成する。
【００１８】
またこの種の光ディスクをアクセスする光ディスク装置に適用して、ウォウブル信号より生成したクロックに対するウォウブル信号の位相を検出してシリアルデータを復号する復号手段を備える場合に、クロックを基準にしてウォウブル信号の極性を判定することにより、又はクロックを基準にした所定期間毎に、ウォウブル信号が０クロスするタイミングの変化を検出して、ウォウブル信号の位相を検出する。
【００１９】
位相変調において、シリアルデータの各ビットに対して、ビットの開始からビットの中心に対応する第１の期間で、論理レベルが立ち上がっている時間と、論理レベルが立ち下がっている時間とが等しくなるように、位相変調信号を生成すれば、この位相変調信号においては、周波数変調した際に、この期間で進み位相と遅れ位相とを打ち消し合うことができる。また同様にして、ビットの中心からビットの終了に対応するタイミングまでの第２の期間で、論理レベルが立ち上がっている時間と、論理レベルが立ち下がっている時間とが等しくなるように、位相変調信号を生成すれば、この期間で進み位相と遅れ位相とを打ち消し合うことができる。従って周波数変調において、第１の期間と、第２の期間とで波数が等しくなるように、周波数変調信号を生成すれば、少なくともビットの開始のタイミングに対して、ビットの中央、ビットの終了において、等しい位相関係を形成することができる。これによりシリアルデータのビット単位で見たとき、平均的に周波数変動、位相変動のない周波数変調信号を生成することができる。
【００２１】
これらのことからこのような光ディスクをアクセスする光ディスク装置においては、ウォウブル信号より生成したクロックに対するウォウブル信号の位相を検出するだけで、シリアルデータを復号することができる。このとき復号手段においてクロックを基準にしてウォウブル信号の極性を判定することにより、又はクロックを基準にした所定期間毎に、ウォウブル信号が０クロスするタイミングの変化を検出するだけで、ウォウブル信号の位相を確実に検出することができる。
【００２２】
【発明の実施の形態】
以下、適宜図面を参照しながら本発明の実施の形態を詳述する。
【００２３】
（１）第１の実施の形態
図２は、本発明の実施の形態に係るマスタリング装置を示すブロック図である。この実施の形態に係る光ディスクの製造工程では、このマスタリング装置１によりディスク原盤２を露光し、このディスク原盤２より光ディスクを製造する。
【００２４】
ここでマスタリング装置１において、ディスク原盤２は、例えばガラス基板の表面にレジストを塗布して形成され、スピンドルモータ３により所定の回転速度で回転駆動される。
【００２５】
光ヘッド４は、所定のスレッド機構により、このディスク原盤２の回転に同期して、ディスク原盤２の内周側より順次外周側に変位しながら、ディスク原盤２にレーザービームＬを照射する。これにより光ヘッド４は、ディスク原盤２の内周側より外周側に、ラセン状にトラックを生成する。さらに光ヘッド４は、光学系がディスク原盤２の半径方向に可動するように構成され、駆動回路５は、ウォウブル信号ＷＢに応じて光ヘッド４の光学系を駆動する。これによりマスタリング装置１では、レーザービームＬの照射位置をウォウブル信号ＷＢに応じて蛇行させるようになされている。
【００２６】
ウォウブルデータ生成回路６は、光ヘッド４の変位に応じて順次値の変化するウォウブルデータＡＤＩＰを生成して出力する。すなわちウォウブルデータ生成回路６は、ディスク原盤２の回転に同期したタイミング信号（ＦＧ信号等でなる）をスピンドルモータ３等より受け、このタイミング信号を所定のカウンタによりカウントする。これによりウォウブルデータ生成回路６は、ディスク原盤２が例えば１／１６回転する周期で順次循環的に値の変化するフレーム番号Sync no と、フレーム番号Sync no の変化に対応してレーザービームＬの照射位置が１トラック分変位する毎に値の変化するトラック番号track noを生成する。
【００２７】
これによりウォウブルデータ生成回路６は、フレーム番号Sync no 及びトラック番号track noによるアドレスデータを生成する。なおここでウォウブルデータ生成回路６は、例えばフレーム番号Sync no 及びトラック番号track noをそれぞれ４ビット及び２０ビットにより生成する。
【００２８】
さらにウォウブルデータ生成回路６は、これらフレーム番号Sync no 、トラック番号track noにリザーブ用のビットrev を加えて、このフレーム番号Sync no 及びトラック番号track no及びリザーブ用のビットrev による情報ワードＭ（ｘ）を用いて所定の演算処理を実行し、誤り検出符号CRCC（Cyclic Redundancy Check Code）を生成し、図３に示すフォーマットのウォウブルデータブロックを順次生成する。ここでウォウブルデータ生成回路６は、各ウォウブルデータブロックを４８ビットにより形成する。
【００２９】
このときウォウブルデータ生成回路６は、誤り検出符号CRCCの論理レベルを反転して設定することにより、あるいはリザーブ用のビットrev の操作により、１アドレスデータブロック中に必ず１回はビット反転が発生するように、ウォウブルデータを生成する。また必要に応じて、続く４ビットを記録層のデータに割り当てる。ここでディスク原盤２により作成される光ディスクは、情報記録層を複数有し、この記録層のデータによりこの情報記録層が特定される。なおウォウブルデータ生成回路６は、記録層のデータを設定する場合には、この記録層のデータも情報ワードＭ（ｘ）として誤り検出符号CRCCの計算に使用する。
【００３０】
ウォウブルデータ生成回路６は、このようにしてディスク原盤２の回転に同期してウォウブルデータブロックを順次生成すると共に、この生成したウォウブルデータブロックをウォウブルデータＡＤＩＰとして順次ウォウブル信号発生回路７に出力する。
【００３１】
ウォウブル信号発生回路７は、ウォウブルデータＡＤＩＰ等よりウォウブル信号ＷＢを生成する。このウォウブル信号発生回路７において、発生回路７Ａは、所定の基準信号を生成して出力する。このマスタリング装置１では、この発生回路７Ａで生成する基準信号の１つを用いてスピンドルモータ３をスピンドル制御し、これによりディスク原盤２の回転に同期したウォウブル信号ＷＢを生成する。
【００３２】
位相変調回路７Ｂは、基準信号の位相に同期した第１の基準クロックφ１と、この第１の基準クロックφ１に対して１８０度位相の異なる第２の基準クロックφ２とを、ウォウブルデータＡＤＩＰの論理レベルに応じて割り当てることにより、ウォウブルデータＡＤＩＰを位相変調してチャンネル信号ｃｈを生成する。
【００３３】
このとき図１に示すように、位相変調回路７Ｂは、ウォウブルデータＡＤＩＰの各ビット中心に対応するタイミングｔｃを境にして、各ビットの前半及び後半に偶数のチャンネルを形成するように（この場合はそれぞれ２チャンネルである）、かつこれら前半及び後半でそれぞれ論理１の期間と論理０の期間とが等しくなるように、第１及び第２の基準クロックφ１及びφ２を割り当てる。
【００３４】
すなわち位相変調回路７Ｂは、ウォウブルデータＡＤＩＰが論理１のとき、第１の基準クロックを１周期割り当てた後、第２の基準クロックを１周期割り当て、これにより順次０１１０のチャンネルが連続するようにチャンネル信号ｃｈを生成する（図１（Ａ）、（Ｂ−１）（Ｂ−２）及び（Ｃ））。
【００３５】
またこれとは逆に、ウォウブルデータＡＤＩＰが論理０のとき、第２の基準クロックを１周期割り当てた後、第１の基準クロックを１周期割り当て、これにより順次１００１のチャンネルが連続するようにチャンネル信号ｃｈを生成する。ウォウブル信号発生回路７は、位相変調回路７Ｂで生成したチャンネル信号ｃｈに同期パターンを介挿して続く周波数変調回路７Ｃで周波数変調する。
【００３６】
周波数変調回路７Ｃは、チャンネル信号ｃｈを周波数変調し、その被変調信号をウォウブル信号ＷＢとして出力する。このとき周波数変調回路７Ｃは、周波数変調の中心周波数をｎとすると、チャンネル信号ｃｈの論理１及び０に対してそれぞれ周波数ｎ＋ｄ及びｎ−ｄの正弦波信号を割り当ててウォウブル信号ＷＢを生成する。さらにこのとき、キャリア信号の０．５波を単位にして、対応する周波数ｎ＋ｄ及びｎ−ｄの正弦波信号をそれぞれチャンネル信号ｃｈに割り当て、これによりウォウブルデータＡＤＩＰのビット中心及びビット境界に対応するタイミングｔｓ及びｔｃで０クロスするようにウォウブル信号ＷＢを生成する。
【００３７】
すなわちウォウブルデータＡＤＩＰの各ビット中心に対応するタイミングｔｃを境にして、各ビットの前半及び後半に偶数のチャンネルを形成するようにし、かつこれら前半及び後半でそれぞれ論理１の期間と論理０の期間とが等しくなるように、第１及び第２の基準クロックφ１及びφ２を割り当てれば、チャンネル信号ｃｈにおいては、これらの前半及び後半で、それぞれ論理１のチャンネル数と論理０のチャンネル数とが同数に保持される。
【００３８】
このチャンネル信号ｃｈに対して、周波数ｎ−ｄ及びｎ＋ｄの正弦波信号をキャリア信号の０．５波を単位にして割り当てれば、ウォウブルデータＡＤＩＰの各ビットの前半及び後半に対応する期間内において、周波数ｎのキャリア信号に対する位相の変位を打ち消してウォウブル信号ＷＢを生成することができる。従ってウォウブルデータＡＤＩＰのビット中心及びビット境界に対応するタイミングｔｓ及びｔｃで０クロスするように、ウォウブル信号ＷＢを生成することができる。
【００３９】
さらにこのとき周波数ｎ−ｄ及びｎ＋ｄの正弦波信号をキャリア信号の０．５波単位で割り当てることにより、ウォウブル信号ＷＢの信号レベルが０レベルより立ち上がるタイミング、又はウォウブル信号ＷＢの信号レベルが０レベルより立ち下がるタイミングの何れか全てが、ウォウブルデータＡＤＩＰのビット中心及びビット境界に対応するタイミングｔｓ及びｔｃに保持されて、キャリア信号の正しい位相情報を保持することになる。
【００４０】
従って図４に示すように、このウォウブル信号ＷＢについては、０レベルを基準にして２値化すれば、立ち上がりエッジ又は立ち下がりエッジがチャンネル信号ｃｈのエッジのタイミングと一致してなる２値化信号Ｓ１を生成することができる（図４（Ａ）〜（Ｄ））。従ってこの正しい位相情報を有してなるエッジのタミングを基準にしてクロックＣＫとウォウブルクロックＷＣＫとを生成して、周波数及び位相変動の無い精度の高いクロックを生成することができる（図４（Ｅ）及び（Ｆ））。また矢印により示すように、残りのエッジにおいては、このようにして生成したクロックＣＫに対する位相差＋φ及び−φがチャンネル信号ｃｈの前半側及び後半側の論理レベルを表していることから、この位相差＋φ及び−φを基準にしてウォウブルデータＡＤＩＰを復号することもできる。
【００４１】
これによりウォウブル信号発生回路７においては、このウォウブル信号ＷＢによりグルーブを蛇行させて、精度の高いクロックを生成できるようになされている。
【００４２】
この実施の形態では、このディスク原盤２を現像することにより、レーザービーム照射位置に対応するグルーブの形状をディスク原盤２の表面に作成した後、このディスク原盤２を電鋳処理してスタンパを作成する。さらにこのスタンパによりディスク基板を作成し、このディスク基板に相変化膜、保護膜等を順次形成して光ディスクを製造する。これにより光ディスクは、レーザービームの照射により相変化膜の結晶構造を局所的に変化させて所望のデータを記録できるように形成され、またレーザービームを照射して戻り光の光量変化を検出して記録したデータを再生できるように形成される。
【００４３】
かくするにつきこの光ディスクにおいては、ウォウブル信号ＷＢの信号レベルが０レベルより立ち上がるタイミング、又はウォウブル信号ＷＢの信号レベルが０レベルより立ち下がるタイミングの全てが、キャリア信号の正しい位相情報を保持していることから、グルーブが内周側より外周側にトラックセンタを横切る周期、又はグルーブが外周側より内周側にトラックセンタを横切る周期が、一定に形成され、この横切るタイミングがキャリア信号の０クロスのタイミングと一致することになる。
【００４４】
図５は、このようにして製造された光ディスクをアクセスする光ディスク装置を示すブロック図である。ＣＬＶディスクの場合、この光ディスク装置１０において、スピンドルモータ１１は、光ディスク１２より検出されたウォウブルクロックＷＣＫが所定周波数になるように、光ディスク１２を回転駆動する。
【００４５】
スレッドモータ１４は、システム制御回路１５の制御により光ヘッド１６を光ディスク１２の半径方向に可動し、光ディスク装置１０では、これにより光ディスク１２をシークできるようになされている。
【００４６】
光ヘッド１６は、光ディスク１２にレーザービームＬを照射し、レーザービームＬの戻り光より、レーザービーム照射位置に対するグルーブの変位に応じて信号レベルが変化するプッシュプル信号ＰＰ、フォーカスエラー量に応じて信号レベルが変化するフォーカスエラー信号、戻り光の光量に応じて信号レベルが変化する再生信号ＲＦを生成する。これに対して、記録時、書き込み読み出しクロックＲ／Ｗ  ＣＫを基準にしたタイミングによりレーザービームの光量を間欠的に立ち上げ、これにより所望のデータを記録する。
【００４７】
記録再生回路１７は、再生時、光ヘッドより得られる再生信号ＲＦを処理することにより、光ディスク１２に記録されたユーザーデータＤＵを再生して外部機器に出力する。このときウォブル信号処理回路１３は、再生信号ＲＦから抽出されるアドレスデータをアドレス読取回路１８に出力する。
【００４８】
アドレス読取回路１８は、このアドレスデータを解析して再生データのセクタアドレスを検出する。またこれとは逆に、アドレス読取回路１８は、システム制御回路１５の制御により、レーザービーム照射位置に対応したセクタアドレスを生成し、このセクタアドレスよりアドレスデータを生成して記録再生回路１７に出力する。記録再生回路１７は、記録時、外部機器より入力されたユーザーデータＤＵを光ディスク１２の記録に適したフォーマットによりデータ処理し、このデータ処理結果でなるデータ列にアドレスデータを介挿する。さらにこのようにして生成したチャンネルデータにより光ディスク１２を駆動して、レーザービームＬの光量を間欠的に立ち上げ、これによりユーザーデータＤＵを光ディスク１２に記録する。
【００４９】
システム制御回路１５は、この光ディスク装置１０全体の動作を制御するコンピュータにより構成され、ウォウブル信号処理回路１３より得られるフレーム番号Sync no 、トラック番号track に基づいて、スレッドモータ１４等の動作を制御し、また全体の動作モードを切り換えることにより、レーザービーム照射位置に応じて、さらには外部機器からの制御により、全体の動作を制御する。
【００５０】
ウォウブル信号処理回路１３は、プッシュプル信号ＰＰよりウォウブル信号ＷＢを抽出し、このウォウブル信号ＷＢを処理してウォウブルクロックＷＣＫ、クロックＣＫ、書き込み読み出し用クロックＲ／Ｗ  ＣＫを生成する。さらにウォウブル信号処理回路１３は、ウォウブル信号ＷＢよりウォウブルデータＡＤＩＰを検出してシステム制御回路１５に通知する。
【００５１】
図６は、このウォウブル信号処理回路１３を示すブロック図である。ウォウブル信号処理回路１３は、所定利得の増幅回路２２でプッシュプル信号ＰＰを増幅した後、図示しないバンドパスフィルタを介してウォウブル信号ＷＢを抽出する。図７に示すように、比較回路（ＣＯＭ）２３は、このウォウブル信号ＷＢを０レベルにより２値化して２値化信号Ｓ２を生成することにより、ウォウブル信号ＷＢよりエッジ情報を検出する（図７（Ａ）〜（Ｄ））。かくするにつき、このの２値化信号Ｓ２は、立ち上がりエッジ又は立ち下がりエッジの何れかが、正しい位相情報を有していることになり、残るエッジの位相情報がウォウブルデータＡＤＩＰの情報を有していることになる。
【００５２】
位相比較回路（ＰＣ）２４は、イクスクルーシブオア回路により構成され、分周回路２５より出力されるウォウブルクロックＷＣＫと、ウォウブル信号ＷＢとを位相比較し、位相比較結果ＳＣＯＭを出力する（図７（Ｄ）〜（Ｇ））。ローパスフィルタ（ＬＰＦ）２６は、この位相比較結果を帯域制限して、その低周波成分を電圧制御型発振回路（ＶＣＯ）２７に出力する。電圧制御型発振回路２７は、このローパスフィルタ２６の出力信号により書き込み読み出しクロックＲ／Ｗ  ＣＫを出力する。このとき電圧制御型発振回路２７は、ウォウブル信号ＷＢの周波数の４倍の周波数によりこの書き込み読み出しクロックＲ／Ｗ  ＣＫを生成する。分周回路２５は、この書き込み読み出しクロックＲ／Ｗ  ＣＫを順次分周してクロックＣＫ及びウォウブルクロックＷＣＫを生成する。
【００５３】
これにより位相比較回路２４、分周回路２５、ローパスフィルタ２６、電圧制御型発振回路２７は、ＰＬＬ回路を構成し、ウォウブル信号ＷＢが０クロスして立ち上がるタイミング（正しい位相情報を有してなるタイミング）に位相同期してなるクロックＲ／Ｗ  ＣＫ、ＣＫ、ＷＣＫを生成する。なおこの場合ウォウブルクロックＷＣＫは、２値化信号Ｓ２の正しいエッジに対してπ／２だけ位相シフトして生成されることになる。
【００５４】
すなわちこの光ディスクにおいては、ウォウブル信号ＷＢの信号レベルが０レベルより立ち上がるタイミング、又はウォウブル信号ＷＢの信号レベルが０レベルより立ち下がるタイミングの全てが、キャリア信号の正しい位相情報を保持していることから、結局、このようにウォウブルクロックＷＣＫが２値化信号Ｓ２に位相同期している場合、ローパスフィルタ２６を介して得られる位相比較結果ＳＣＯＭの平均値が一定値になるように発振周波数が制御される。
【００５５】
この場合例えばウォウブルクロックＷＣＫの位相が進むと（図７（Ｈ））、その分位相比較結果ＳＣＯＭにおいては、平均値が低下し（図７（Ｉ））、発振周波数が下がるように制御される。これによりＰＬＬ回路は、正しい位相情報を有してなるウォウブル信号ＷＢの立ち上がりを基準にして、各種クロックを生成する。
【００５６】
ところでこのようにして生成される２値化信号Ｓ２においては、論理レベルが立ち上がった後、再び立ち上がるまでの期間Ｔの間、論理レベルが立ち上がっている期間と、論理レベルが立ち下がっている期間との差が、この期間Ｔの間における立ち下がりエッジのタイミングで変化することになる。すなわちこの差分が、ウォウブル信号ＷＢが０クロスして立ち下がるタイミングの位相情報を有していることになる。
【００５７】
この関係を有効に利用してウォウブル信号処理回路１３は、ウォウブルデータＡＤＩＰを再生する。すなわち図８に示すように、カウンタ（ＣＮＴ）２９は、２値化信号Ｓ２の立ち上がりエッジを基準にしてカウント値をクリアし、２値化信号Ｓ２の論理レベルが立ち上がっている期間の間、書き込み読み出しクロックＲ／Ｗ  ＣＫをアップカウントし、これとは逆に２値化信号Ｓ２の論理レベルが立ち下がっている期間の間、書き込み読み出しクロックＲ／Ｗ  ＣＫをダウンカウントする（図８（Ａ）〜（Ｆ））。これによりカウンタ２９は、ウォウブルデータＡＤＩＰの半周期を単位にして、ウォウブルクロックＷＣＫに対するウォウブル信号ＷＢの進み位相及び遅れ位相をカウント値ＣＮＴにより検出する。
【００５８】
フリップフロップ（ＦＦ）３０は、ウォウブルデータＡＤＩＰの半周期分だけこのカウント値ＣＮＴを遅延させる。減算回路３１は、フリップフロップ３０の出力データよりカウンタ２９の出力データを減算する。これにより減算回路３１は、ウォウブルデータＡＤＩＰのビット境界、ビット中心をそれぞれ基準にして、前後でウォウブル信号ＷＢが０クロスするタイミングの変化を検出し、このタイミングがウォウブルクロックＷＣＫに対して進むように変化する場合は、カウント値ＣＮＴの２倍で、負の値Ｌ２の減算結果を出力する。またこれとは逆に、このタイミングがウォウブルクロックＷＣＫに対して遅れるように変化する場合は、カウント値ＣＮＴの２倍で、かつ正の値Ｈ２の減算結果を出力し、位相が変化しない場合は、値０の減算結果を出力する（図８（Ｇ））。
【００５９】
かくするにつき、このようにビット境界、ビット中心をそれぞれ基準にして、前後でウォウブル信号ＷＢの０クロスするタイミングが変化しない場合、位相変調の変調規則より、この前後の間がビット境界と判断することができる。またこのビット境界より、前後で減算値が正及び負の場合、それぞれウォウブルデータＡＤＩＰにおいては、論理１及び０と判断することができる。因みに、このビット境界より１つ間を挟んだ減算値は、何ら意味を持たない数値になる。この実施の形態においては、１アドレスデータブロックで必ず１回はビット反転するように設定したことにより、所定期間の間で、確実にビット境界を検出することができる。
【００６０】
この検出原理に従って、デコーダ３２は、減算回路３１の出力データΔφよりビット境界を検出する。さらにこの検出したビット境界を基準にして、１周期毎に減算値Δφを判定することによりウォウブルデータＡＤＩＰを復号して出力する。（図８（Ｇ）及び（Ｈ））。
【００６１】
以上の構成において、マスタリング装置１では（図２）、ディスク原盤２の内周側より外周側に向かってらせん状にレーザービームＬを照射してトラックを形成する際に、ウォウブル信号発生回路７で生成されるウォウブル信号ＷＢによりレーザービーム照射位置がディスク原盤２の半径方向に変位され、これによりウォウブルデータに応じてグルーブが蛇行するように形成される。
【００６２】
このときマスタリング装置１では、ディスク原盤２の１回転毎に順次値がインクリメントするトラック番号track noと、ディスク原盤２の１／１６回転毎に順次循環的に値がインクリメントするシンク番号sync no が生成される。さらにトラック番号track no、シンク番号sync no 及びリザーブ用のビットrev を情報ワードＭ（ｘ）に設定した誤り検出符号CRCCが生成される。このとき１のアドレスデータブロック内で必ず１回はビット反転が発生するように、誤り検出符号CRCCの論理レベルが反転して設定され、又はリザーブ用のビットrev が設定される（図３）。
【００６３】
マスタリング装置１では、ディスク原盤２の回転に同期してこのアドレスデータブロックが順次生成され、このアドレスデータブロックがウォウブルデータＡＤＩＰとしてウォウブル信号発生回路７に入力される。
【００６４】
ここでウォウブルデータＡＤＩＰは、位相変調回路７Ｂにおいて位相変調を受け、基準信号の位相に同期した第１の基準クロックφ１と、この第１の基準クロックφ１に対して１８０度位相の異なる第２の基準クロックφ２とが論理レベルに応じて順次割り当てられてチャンネル信号ｃｈが生成される（図１）。このときウォウブルデータＡＤＩＰは、ウォウブルデータＡＤＩＰの各ビット中心に対応するタイミングｔｃを境にして、各ビットの前半及び後半に偶数のチャンネルを形成するように、かつこれら前半及び後半でそれぞれ論理１の期間と論理０の期間とが等しくなるように、第１及び第２の基準クロックφ１及びφ２が割り当てられ、これによりこの前半と後半との期間で、それぞれ論理１及び論理０の期間が等しくなるように被変調信号に変換される。
【００６５】
このようにして生成されたチャンネル信号ｃｈは、続く周波数変調回路７Ｃにおいて、それぞれキャリア信号の０．５波を単位にして、周波数ｎ−ｄ及びｎ＋ｄの正弦波信号が割り当てられ、これによりウォウブルデータＡＤＩＰのビット中心及びビット境界に対応するタイミングｔｓ及びｔｃで０クロスするようにウォウブル信号ＷＢが生成される。
【００６６】
このときウォウブルデータＡＤＩＰの各ビット中心に対応するタイミングｔｃを境にして、各ビットの前半及び後半に偶数のチャンネルを形成するようにし、かつこれら前半及び後半でそれぞれ論理１の期間と論理０の期間とが等しくなるようにチャンネル信号ｃｈが生成されていることにより、ウォウブル信号ＷＢは、ウォウブルデータＡＤＩＰの全てのビット中心及びビット境界に対応するタイミングｔｓ及びｔｃで０クロスするように生成される。
【００６７】
また周波数ｎ−ｄ及びｎ＋ｄの正弦波信号がキャリア信号の０．５波単位で割り当てられていることにより、ウォウブル信号ＷＢの信号レベルが０レベルより立ち上がるタイミング、又はウォウブル信号ＷＢの信号レベルが０レベルより立ち下がるタイミングの何れか全てが、ウォウブルデータＡＤＩＰのビット中心及びビット境界に対応するタイミングｔｓ及びｔｃに保持されて、キャリア信号の正しい位相情報を保持することになる。
【００６８】
さらにこのように正しい位相情報を有していない残るウォウブル信号ＷＢの０クロスのタイミングにおいては、ウォウブルデータＡＤＩＰに応じた位相に保持され、ウォウブルデータＡＤＩＰの１ビット内で平均化すれば、位相誤差が０になるように生成される。
【００６９】
これによりこの実施の形態に係る光ディスクの製造工程では、このマスタリング装置１によるディスク原盤２より、所定の工程を経て、光ディスクが作成され、この光ディスクにおいては、ウォウブルデータのビット境界及びビット中心に対応するタイミングで、グルーブの中心がトラックセンタを横切るように形成される。
【００７０】
この光ディスクは、光ディスク装置において、このようにして生成されたグルーブの蛇行を基準にして、ＣＬＶディスクの場合はスピンドル制御等の処理が実行され、このときウォウブル信号処理回路１３においてグルーブの蛇行を基準にした精度の高いクロックＲ／Ｗ  ＣＫ、ＣＫ、ＷＣＫが生成され、またウォウブルデータＡＤＩＰが再生される（図５）。
【００７１】
すなわちこのウォウブル信号処理回路１３においては（図６及び図７）、グルーブに対するレーザービーム照射位置に応じて信号レベルが変化するプッシュプル信号ＰＰより、ウォウブル信号ＷＢが抽出され、比較回路２３において０クロスのタイミングが検出されてエッジ情報が検出される。また続く位相比較回路２４、分周回路２５、ローパスフィルタ２６、電圧制御型発振回路２７によるＰＬＬ回路により、この比較回路２３より出力される２値化信号Ｓ２の正しい位相情報を有してなる一方のエッジに位相同期したクロックＲ／Ｗ  ＣＫ、ＣＫ、ＷＣＫが生成される。
【００７２】
すなわちこの２値化信号Ｓ２においては、立ち上がりエッジの全てが正しい位相情報を有し、残るエッジにおいては、ウォウブルデータＡＤＩＰに応じて変位し、ウォウブルデータＡＤＩＰの１ビットを単位にして平均化すれば、正しい位相情報を有してなるエッジのタイミングに対して何ら位相誤差を有していないようになる。これによりこの実施の形態では、平均的に周波数変動、位相変動の少ない、精度の高いクロックを生成することができる。
【００７３】
さらに２値化信号Ｓ２は、立ち上がりエッジのタイミングを基準にして、カウンタ２９により書き込み読み出しクロックＲ／Ｗ  ＣＫがアップカウント、ダウンカウントされ、これによりウォウブルデータの前半及び後半に対応する期間でなる、ウォウブルクロックＷＣＫを基準にした所定期間毎に、ウォウブル信号ＷＢが０クロスして立ち下がるタイミングが時間計測される。さらに減算回路３１において、連続するカウント値が順次減算されて、このタイミングの変化が検出され、この変化によりウォウブル信号ＷＢが０クロスして立ち下がるタイミングの位相が検出される。
【００７４】
これによりデコーダ３２において、この位相が変化しないビット境界が検出され、このビット境界を基準にして位相の変化より、順次ウォウブルデータＡＤＩＰが再生される。
【００７５】
以上の構成によれば、シリアルデータの各ビットの前半部分及び後半部分にそれぞれ対応する位相変調による被変調信号において、論理１の期間と論理０の期間とが等しくなるように位相変調し、この位相変調による被変調信号に周波数ｎ−ｄ及びｎ＋ｄの正弦波信号を０．５波単位で割り当ててウォウブル信号ＷＢを生成することにより、ウォウブルデータＡＤＩＰの全てのビット中心及びビット境界に対応するタイミングｔｓ及びｔｃで０クロスするように、かつウォウブルデータＡＤＩＰの１ビット内で平均化すれば、位相誤差が０になるようにウォウブル信号を生成することができる。従ってこのウォウブル信号によるグルーブの蛇行より、平均的に周波数変動、位相変動の少ない、精度の高いクロックを生成することができる。
【００７６】
またこのときウォウブル信号のビット中心及びビット境界に対応しないウォウブル信号の０クロスのタイミングにおいては、ウォウブルデータに応じて変化することにより、このタイミグによりウォウブルデータを復号して、簡易にウォウブルデータを再生することができる。
【００７７】
またこのときウォウブルクロックＷＣＫを基準にした時間計測により、併せてビット境界を検出することができ、これにより簡易にビット同期を形成することができる。さらにＣＡＶ方式によりプリグルーブを形成した際に、従来に比してアドレス再生時における隣接トラックからのクロストークを低減することもできる。
【００７８】
（２）他の実施の形態
なお上述の実施の形態においては、ウォウブルデータＡＤＩＰの１ビットに４つのチャンネルを割り当てるように位相変調する場合について述べたが、本発明はこれに限らず、図１との対比により図９に示すように、ウォウブルデータＡＤＩＰの各ビットの前半及び後半にそれぞれ４つのチャンネルを割り当てる場合等、ウォウブルデータＡＤＩＰの各ビットの前半及び後半にそれぞれ偶数チャンネルを割り当てる場合に広く適用することができる。
【００７９】
また上述の実施の形態においては、位相変調による被変調信号に対して、周波数ｎ＋ｄ及び周波数ｎ−ｄによる０．５波を順次割り当てて、周波数変調による被変調信号を生成する場合について述べたが、本発明はこれに限らず、図１との対比により図１０に示すように、各チャンネルに１波を単位にして割り当てる場合等、要は、ウォウブルデータの各ビットにおいて、位相変調による被変調信号の論理レベルの立ち上がり対応する周波数による波数と、位相変調による被変調信号の論理レベルの立ち下りに対応する周波数による波数とが等しくなるように設定して、平均的に周波数変動、位相変動の少ない精度の高いクロックを生成することができる。またビット復調の誤りを低減することができる。
【００８０】
さらに上述の実施の形態においては、ウォウブルデータの１ビットについて平均化すれば、ウォウブル信号の位相誤差が打ち消されることを利用して、ウォウブル信号に位相同期したクロックＣＫ、ＷＣＫ等を生成する場合について述べたが、本発明はこれに限らず、図６との対比により図１１に示すように、正しい位相情報を有しているエッジのみ選択的に使用してさらに精度の高いクロックを生成してもよい。すなわち図１１に示すウォウブル信号処理回路３３においては、ローパスフィルタ３４により位相情報を抽出し、この位相情報とウォウブルクロックＷＣＫとの位相をゲート信号生成回路３５において比較することにより、正しい位相情報の表れるタイミングを検出する。さらにこのゲート信号生成回路３５において、この正しいタイミングによるゲート信号を生成し、フリップフロップ回路３６の動作をこのゲート信号により制御して、この正しいタイミングによる２値化信号をＰＬＬ回路３７に入力する。このＰＬＬ回路３７においては、分周回路３８を介して帰還ループを形成し、これによりこの２値化信号Ｓ２に基づいて所望の周波数によるクロックＲ／Ｗ  ＣＫ、ＣＫを生成する。
【００８１】
さらに上述の実施の形態においては、２値化信号の立ち下がりエッジのタイミングを時間計測してウォウブルデータをデコードする場合について述べたが、本発明はこれに限らず、図１１に示すように、ローパスフィルタ３４を介して得られる位相情報φによりウォウブルデータを復号してもよく、また図１２に示すように、０．５波を単位にして周波数変調による被変調信号を生成する場合は、ウォウブル信号ＷＢの極性により位相を検出してウォウブルデータを復号してもよい。なおこの図１２に示す構成においては、クロックＣＫの立ち上がりエッジにより、２値化信号Ｓ２又はウォウブル信号ＷＢを２値化し（図１２（Ａ）〜（Ｅ））、ウォウブル信号ＷＢの極性を示す極性信号Ｓ３（図１２（Ｆ））を生成する。なおここで＋及び−は、正側及び負側を、０は０クロスを示す。ここで矢印Ａ及びＢにより示すように、０を間に挟んで同極性が連続する場合、ビット境界と判定することができる。また矢印で示すように、極性信号Ｓ３の極性により各ビット前半及び後半の論理レベルの変化を判定できることにより、チャンネル信号ｃｈを復号でき（図１２（Ｇ））、ビット境界を基準にしてこの復号結果をデコードしてウォウブルデータＡＤＩＰを復号することができる（図１２（Ｈ））。
【００８２】
また上述の実施の形態においては、誤り検出符号をウォウブルデータに割り当てる場合について述べたが、本発明はこれに限らず、実用上十分な信頼性によりフレーム同期を検出することができる場合、誤り検出符号を省略してもよい。例えば同一のトラック番号及び又はシンク番号を複数回繰り返すこと等により、これらトラック番号及び又はシンク番号の比較により十分な信頼性を確保できる場合等が該当する。
【００８３】
さらに上述の実施の形態においては、順次トラック番号及び又はシンク番号が変化するように連続するアドレスデータブロックによりウォウブルデータを生成し、このウォウブルデータによりウォウブル信号を生成する場合について述べたが、本発明はこれに限らず、同一のアドレスデータブロックを所定回数だけ繰り返し割り当ててウォウブル信号を生成する場合等に広く適用することができる。
【００８４】
また上述の実施の形態においては、ウォウブルデータのビット境界及びビット中心のタイミングで、ウォウブル信号の信号レベルが０レベルを横切るように設定する場合について述べたが、本発明はこれに限らず、０レベルに代えて、一定の基準レベルを横切るように設定してもよい。すなわちウォウブルデータのビット境界又はビット中心に対応するタイミングで、必ず一定の基準レベルを横切るようにウォウブル信号を生成する場合、対応するタイミングでウォウブル信号の位相を一定位相に保持することになる。従ってウォウブル信号の再生側にてこの一定位相を考慮して処理すれば、正しい位相情報により精度の高いクロックを生成することができ、上述の実施の形態と同様の効果を得ることができる。ちなみに、この場合ウォウブル信号を２値化する比較回路の基準レベルを変更すること等により対応することができる。
【００８５】
さらに上述の実施の形態においては、ウォウブル信号によりグルーブ全体を蛇行させる場合について述べたが、本発明はこれに限らず、グルーブの片側エッジだけ蛇行させる場合、さらには両エッジを異なるウォウブル信号により蛇行させる場合にも広く適用することができる。
【００８６】
また上述の実施の形態においては、比較回路により２値化して位相情報を検出する場合について述べたが、本発明はこれに限らず、ウォウブル信号を直接位相比較する場合等に広く適用することができる。
【００８７】
さらに上述の実施の形態においては、周波数ｎ＋ｄ〔ｈｚ／ｃｈ〕及びｎ−ｄ〔Ｈｚ／ｃｈ〕によりウォウブル信号を生成する場合について述べたが、本発明はこれに限らず、タイミング検出用等の基準信号を介挿してウォウブル信号を生成する場合にも広く適用することができる。
【００８８】
また上述の実施の形態においては、トラック番号及びシンク番号によるアドレスデータによりウォウブル信号を生成する場合について述べたが、本発明はこれに限らず、時間情報でなるアドレスデータによりウォウブル信号を生成する場合にも広く適用することができる。
【００８９】
また上述の実施の形態においては、相変化型の光ディスクに本発明を適用するについて述べたが、本発明はこれに限らず、ライトワンス型の光ディスク、光磁気ディスク、再生専用の光ディスク等にも広く適用することができる。
【００９０】
【発明の効果】
上述のように本発明によれば、シリアルデータを位相変調した後、周波数変調してグルーブを蛇行させる際に、シリアルデータの各ビットの前半部分及び後半部分にそれぞれ対応する位相変調による被変調信号において、論理１の期間と論理０の期間とが等しくなるように位相変調し、またこの周波数変調による被変調信号において、各論理レベルに対応する周波数の波数が等しくなるように設定することにより、シリアルデータの１ビット内で平均化すれば、位相誤差が０になるように周波数変調による被変調信号を生成することができる。従ってこの周波数変調による被変調信号によるグルーブの蛇行より、平均的に周波数変動、位相変動の少ない、精度の高いクロックを生成することができる。
【図面の簡単な説明】
【図１】本発明の実施の形態に係るウォウブル信号生成の説明に供する信号波形図である。
【図２】図１のウォウブル信号の生成に供するマスタリング装置を示すブロック図である。
【図３】図１のマスタリング装置におけるアドレスデータブロックを示す図表である。
【図４】ウォウブル信号とウォウブルデータとの関係を示す信号波形図である。
【図５】図２のマスタリング装置を適用して製造された光ディスクをアクセスする光ディスク装置を示すブロック図である。
【図６】図５の光ディスク装置のウォウブル信号処理回路を示すブロック図である。
【図７】図６のウォウブル信号処理回路の動作の説明に供する信号波形図である。
【図８】図７の続きを示す信号波形図である。
【図９】他の実施の形態に係るマスタリング装置におけるウォウブル信号生成の説明に供する信号波形図である。
【図１０】図９の他の実施の形態に係るウォウブル信号生成の説明に供する信号波形図である。
【図１１】他の実施の形態に係る光ディスク装置のウォウブル信号処理回路を示すブロック図である。
【図１２】図１１のウォウブル信号処理回路の動作の説明に供する信号波形図である。
【図１３】バイフェーズマーク変調の説明に供する信号波形図である。
【図１４】グルーブ生成の説明に供する特性曲線図である。
【符号の説明】
１……マスタリング装置、２……ディスク原盤、６……ウォウブルデータ生成回路、７……ウォウブル信号発生回路、１０……光ディスク装置、１２……光ディスク、１３、３３……ウォウブル信号処理回路、
【図１】
0004143873.tif 000002
【図２】
0004143873.tif 000003
【図３】
0004143873.tif 000004
【図４】
0004143873.tif 000005
【図５】
0004143873.tif 000006
【図６】
0004143873.tif 000007
【図７】
0004143873.tif 000008
【図８】
0004143873.tif 000009
【図９】
0004143873.tif 000010
【図１０】
0004143873.tif 000011
【図１１】
0004143873.tif 000012
【図１２】
0004143873.tif 000013
【図１３】
0004143873.tif 000014
【図１４】
0004143873.tif 000015